(57)【要約】【課題】迅速かつ容易に着脱することができるだけでなく、利用者の前方からの雨の浸入量を減少させることができるレインコートを提供すること。【解決手段】利用者の前方に配される前身頃部２と、前記前身頃部２の幅方向Ｗの一端部に設けられ前記利用者の右から後方に配される右後ろ身頃部と、前記前身頃部２の幅方向の他端部に設けられ前記利用者の左から後方に配される左後ろ身頃部と、前記前身頃部２と前記右後ろ身頃部とにわたって、および前記前身頃部２と前記左後ろ身頃部とにわたってそれぞれ設けられた袖部３，４とを備えていることを特徴とする。【選択図】図１
0003178539.tif 000002
【実用新案登録請求の範囲】
【請求項１】
利用者の前方に配される前身頃部と、
前記前身頃部の幅方向の一端部に設けられ前記利用者の右から後方に配される右後ろ身頃部と、
前記前身頃部の幅方向の他端部に設けられ前記利用者の左から後方に配される左後ろ身頃部と、
前記前身頃部と前記右後ろ身頃部とにわたって、および前記前身頃部と前記左後ろ身頃部とにわたってそれぞれ設けられた袖部と
を備えていることを特徴とするレインコート。
【請求項２】
前記右後ろ身頃部と前記左後ろ身頃部とを係止する後ろ身頃係止部を
を備えていることを特徴とする請求項１に記載のレインコート。
【請求項３】
前記右後ろ身頃部の高さ方向における一部と他部、および前記左後ろ身頃部の高さ方向における一部と他部が、それぞれ高さ方向に一致する位置に設定され、
前記右後ろ身頃部の一部における幅寸法が、前記右後ろ身頃部の他部における幅寸法よりも小さくなっており、
前記右後ろ身頃部の他部と前記左後ろ身頃部の他部とに前記後ろ身頃係止部が設けられ、
前記後ろ身頃係止部が前記他部同士を重ねて係止すると、前記一部同士が重ならない開放部が設けられるように構成されていることを特徴とする請求項２に記載のレインコート。
【請求項４】
前記右後ろ身頃部の高さ方向における一部と他部、および前記左後ろ身頃部の高さ方向における一部と他部が、それぞれ高さ方向に一致する位置に設定され、
前記左後ろ身頃部の一部における幅寸法が、前記左後ろ身頃部の他部における幅寸法よりも小さくなっており、
前記右後ろ身頃部の他部と前記左後ろ身頃部の他部とに前記後ろ身頃係止部が設けられ、
前記後ろ身頃係止部が前記他部同士を重ねて係止すると、前記一部同士が重ならない開放部が設けられるように構成されていることを特徴とする請求項２または請求項３に記載のレインコート。
【請求項５】
前記右後ろ身頃部の一部および前記左後ろ身頃部の一部が、前記利用者の背中に相当する部位に設定され、
前記右後ろ身頃部の他部および前記左後ろ身頃部の他部が、前記右後ろ身頃部の一部および前記左後ろ身頃部の一部より下方に設定されていることを特徴とする請求項３または請求項４に記載のレインコート。
【請求項６】
前記後ろ身頃係止部が、
前記右後ろ身頃部の一部と前記左後ろ身頃部の一部とが重ならない前記開放部が設けられる位置で前記右後ろ身頃部の他部と前記左後ろ身頃部の他部とを重ねて係止する第１の係止部と、
前記右後ろ身頃部の一部と前記左後ろ身頃部の一部とが重なる位置で前記右後ろ身頃部の他部と前記左後ろ身頃部の他部とを重ねて係止する第２の係止部と
を備えていることを特徴とする請求項３から請求項５のいずれか一項に記載のレインコート。
【請求項７】
前記第１の係止部と前記第２の係止部とが、前記幅方向に一体とされた面ファスナーであることを特徴とする請求項６に記載のレインコート。
【請求項８】
前記右後ろ身頃部の幅方向の縁部および前記左後ろ身頃部の幅方向の縁部に、上方から下方に向かうにしたがって幅寸法が漸次大きくなる傾斜部がそれぞれ形成されていることを特徴とする請求項１から請求項７のいずれか一項に記載のレインコート。
【請求項９】
前記右後ろ身頃部の幅方向の縁部または前記左後ろ身頃部の幅方向の縁部の少なくともいずれか一方の長手寸法が、前記前身頃部の高さ寸法よりも大きくなっていることを特徴とする請求項１から請求項８のいずれか一項に記載のレインコート。
【請求項１０】
前記右後ろ身頃部の上端部と前記左後ろ身頃部の上端部とを係止する首用係止部が設けられていることを特徴とする請求項１から請求項９のいずれか一項に記載のレインコート。
【請求項１１】
前記首用係止部が、
前記右後ろ身頃部の上端部と前記左後ろ身頃部の上端部とを繋ぐ首用繋ぎ部と、
前記首用繋ぎ部の近傍において前記右後ろ身頃部の上端部と前記左後ろ身頃部の上端部とを着脱可能に係止し首回り寸法を調整する首用調整部と
を備えていることを特徴とする請求項１０に記載のレインコート。
【請求項１２】
前記前身頃部、前記右後ろ身頃部および前記左後ろ身頃部の少なくともいずれか一つに、腰回り寸法の調整可能な絞り部が設けられていることを特徴とする請求項１から請求項１１のいずれか一項に記載のレインコート。
【請求項１３】
前記前身頃部の表面うち前記利用者の太ももの間に相当する部位に、前記表面に対して凸状の凸部が設けられていることを特徴とする請求項１から請求項１２のいずれか一項に記載のレインコート。
【請求項１４】
前記凸部が、
空気を収容する収容部と、
前記収容部に対して空気を流出入させる流出入部と、
前記流出入部を開閉する開閉部とを備えることを特徴とする請求項１３に記載のレインコート。
【考案の詳細な説明】
【技術分野】
【０００１】
本考案は、雨天時等に利用されるレインコートに関する。
【背景技術】
【０００２】
従来、雨天時等に雨に濡れないようにするために種々のレインコートが利用されている。このようなレインコートとしては、後ろ身頃部と、袖部と、後ろ身頃部の幅方向の一端に設けられた右前身頃部と、幅方向の他端に設けられた左前身頃部とを備えたものが知られている（例えば、特許文献１参照。）。右前身頃部と左前身頃部の幅方向の端部には、それぞれボタンが設けられている。そして、利用者は、雨が降ると、後ろ身頃部を背後に配し、袖部に腕を通してから、右前身頃部と左前身頃部とをそれぞれ正面の右と左を合わせた状態でボタンを留めることにより、当該レインコートを着用する。
【先行技術文献】
【特許文献】
【０００３】
【特許文献１】特開２００１ー１４０１１４号公報
【考案の概要】
【考案が解決しようとする課題】
【０００４】
しかしながら、このようなレインコートでは、利用者が着用する場合、左右の前身頃部や後ろ身頃部など全体を利用者の前方で手に取って広げた後、それら全体を一旦後方に回してから、袖部に両腕を通し、左右の前身頃部をそれぞれ左右から自分の正面に回してボタンを留めるため、着用するのに時間がかかってしまうという問題がある。また、脱ぐ場合にも、正面のボタンを外した後、両腕を袖部から外して一旦自分の後方で脱いでから前方に持ってくるため、脱ぐのにも時間がかかってしまうという問題がある。
さらに、着用中に歩いたり、バイクなどの乗り物に乗ったりするような場合、利用者の前方から後方に向かって風を受け易くなるため、右前身頃部と左前身頃部とのすき間から、風や揺れなどによって雨が外方から内方に浸入してしまうという問題がある。
【０００５】
本考案は、このような問題を解決するためになされたもので、迅速かつ容易に着脱することができるだけでなく、利用者の前方からの雨の浸入量を減少させることができるレインコートを提供することを目的とする。
【課題を解決するための手段】
【０００６】
上記課題を解決するために、本考案は以下の手段を提供する。
本考案は、利用者の前方に配される前身頃部と、前記前身頃部の幅方向の一端部に設けられ前記利用者の右から後方に配される右後ろ身頃部と、前記前身頃部の幅方向の他端部に設けられ前記利用者の左から後方に配される左後ろ身頃部と、前記前身頃部と前記右後ろ身頃部とにわたって、および前記前身頃部と前記左後ろ身頃部とにわたってそれぞれ設けられた袖部とを備えていることを特徴とする。
【０００７】
この考案においては、前身頃部が利用者の前方に配され、右後ろ身頃部および左後ろ身頃部が利用者の後方に配されることから、利用者の前方で広げて展開したレインコートを一旦後ろに回すことなく、前方に配した状態で展開動作からの一連の動作で着用することができる。また、着用した状態からも、利用者の前方で脱ぐことができ、この脱ぐ動作からの一連の動作で折り畳むことができる。
また、前身頃部が利用者の正面を覆うので、利用者の前方の隙間を少なくすることができ、前方からの雨の浸入量を減少させることができる。
【０００８】
また、本考案は、前記右後ろ身頃部と前記左後ろ身頃部とを係止する後ろ身頃係止部を
を備えていることを特徴とする。
【０００９】
この考案によれば、着用時に右後ろ身頃部と左後ろ身頃部とを係止することができ、これら右後ろ身頃部と左後ろ身頃部とが脱ぎ易くなることを防止することができる。
【００１０】
また、本考案は、前記右後ろ身頃部の高さ方向における一部と他部、および前記左後ろ身頃部の高さ方向における一部と他部が、それぞれ高さ方向に一致する位置に設定され、前記右後ろ身頃部の一部における幅寸法が、前記右後ろ身頃部の他部における幅寸法よりも小さくなっており、前記右後ろ身頃部の他部と前記左後ろ身頃部の他部とに前記後ろ身頃係止部が設けられ、前記後ろ身頃係止部が前記他部同士を重ねて係止すると、前記一部同士が重ならない開放部が設けられるように構成されていることを特徴とする。
【００１１】
この考案によれば、後ろ身頃係止部によって他部同士が重ねて係止されると、開放部が設けられることにより、通気性を向上させることができる。
【００１２】
また、本考案は、前記右後ろ身頃部の高さ方向における一部と他部、および前記左後ろ身頃部の高さ方向における一部と他部が、それぞれ高さ方向に一致する位置に設定され、前記左後ろ身頃部の一部における幅寸法が、前記左後ろ身頃部の他部における幅寸法よりも小さくなっており、前記右後ろ身頃部の他部と前記左後ろ身頃部の他部とに前記後ろ身頃係止部が設けられ、前記後ろ身頃係止部が前記他部同士を重ねて係止すると、前記一部同士が重ならない開放部が設けられるように構成されていることを特徴とする。
【００１３】
この考案によれば、後ろ身頃係止部によって他部同士が重ねて係止されると、開放部が設けられることにより、通気性を向上させることができる。
【００１４】
また、本考案は、前記右後ろ身頃部の一部および前記左後ろ身頃部の一部が、前記利用者の背中に相当する部位に配され、前記右後ろ身頃部の他部および前記左後ろ身頃部の他部が、前記右後ろ身頃部の一部および前記左後ろ身頃部の一部より下方に配されていることを特徴とする。
【００１５】
この考案によれば、利用者の背中に相当する部位に開放部を設けることができ、通気性をより向上させることができる。
また、係止部が開放部の下方に設けられていることから、熱が溜まる上方を開放させつつ、下方における雨の浸入を防止することができる。
【００１６】
また、本考案は、前記後ろ身頃係止部が、前記右後ろ身頃部の一部と前記左後ろ身頃部の一部とが重ならない前記開放部が設けられる位置で前記右後ろ身頃部の他部と前記左後ろ身頃部の他部とを重ねて係止する第１の係止部と、前記右後ろ身頃部の一部と前記左後ろ身頃部の一部とが重なる位置で前記右後ろ身頃部の他部と前記左後ろ身頃部の他部とを重ねて係止する第２の係止部とを備えていることを特徴とする。
【００１７】
この考案によれば、第１の係止部と第２の係止部とで、係止位置を調整することができることから、雨の量に応じて、開放部を設けたり設けなくしたりすることができる。
【００１８】
また、本考案は、前記第１の係止部と前記第２の係止部とが、前記幅方向に一体とされた面ファスナーであることを特徴とする。
【００１９】
この考案によれば、係止位置をピンポイントに合わせるように意識しなくても、利用者による係止位置の調整を容易にすることができる。
【００２０】
また、本考案は、前記右後ろ身頃部の幅方向の縁部および前記左後ろ身頃部の幅方向の縁部に、上方から下方に向かうにしたがって幅寸法が漸次大きくなる傾斜部がそれぞれ形成されていることを特徴とする。
【００２１】
この考案によれば、安価かつ簡易な構成により、上方に開放部分を設け易くすることができる。
【００２２】
また、本考案は、前記右後ろ身頃部の幅方向の縁部または前記左後ろ身頃部の幅方向の縁部の少なくともいずれか一方の長手寸法が、前記前身頃部の高さ寸法よりも大きくなっていることを特徴とする。
【００２３】
この考案によれば、右後ろ身頃部および左後ろ身頃部の底辺部と前身頃部の底辺部とを揃えるだけで、縁部をたるませ易くすることができ、開放部分を容易に設けることができる。
【００２４】
また、本考案は、前記右後ろ身頃部の上端部と前記左後ろ身頃部の上端部とを係止する首用係止部が設けられていることを特徴とする。
【００２５】
この考案によれば、着用時に首用係止部を首にかけることができ、着用の安定感を向上させることができる。
【００２６】
また、本考案は、前記首用係止部が、前記右後ろ身頃部の上端部と前記左後ろ身頃部の上端部とを繋ぐ首用繋ぎ部と、前記首用繋ぎ部の近傍において前記右後ろ身頃部の上端部と前記左後ろ身頃部の上端部とを着脱可能に係止し首回り寸法を調整する首用調整部と
を備えていることを特徴とする。
【００２７】
この考案によれば、首用繋ぎ部によって、右後ろ身頃部の上端部と左後ろ身頃部の上端部とを繋ぐことができるだけでなく、首用調整部によって、雨の量に応じて、首回り寸法を調整することができ、首回りの隙間の大きさを調整することができる。
【００２８】
また、本考案は、前記前身頃部、前記右後ろ身頃部および前記左後ろ身頃部の少なくともいずれか一つに、腰回り寸法の調整可能な絞り部が設けられていることを特徴とする。
【００２９】
この考案によれば、着用時のフィット感を向上させることができるだけでなく、乗り物に乗っているときなどに、前身頃部、右後ろ身頃部および左後ろ身頃部の少なくともいずれか一つが風にあおられてヒラヒラと舞ってしまうことを防止することができる。
【００３０】
また、本考案は、前記前身頃部の表面うち前記利用者の太ももの間に相当する部位に、前記表面に対して凸状の凸部が設けられていることを特徴とする。
【００３１】
この考案によれば、着用時に乗り物などに乗って両太ももを横方向に向けても、両太もも間に到達する雨を流すことができ、両太もも間に水が溜まることを防止することができる。
【００３２】
また、本考案は、前記凸部が、空気を収容する収容部と、前記収容部に対して空気を流出入させる流出入部と、前記流出入部を開閉する開閉部とを備えることを特徴とする。
【００３３】
この考案によれば、凸部を利用したいときに、収容部に空気を入れるだけで収容部を容易に凸状にすることができ、一方、凸部を利用しないときには、収容部から空気を流出させてコンパクトにしておくことができる。
【考案の効果】
【００３４】
本考案によれば、迅速かつ容易に着脱することができるだけでなく、利用者の前方からの雨の浸入量を減少させることができる。
【図面の簡単な説明】
【００３５】
【図１】本考案の第１の実施形態におけるレインコートを示す平面図である。
【図２】図１のレインコートを背面から示す背面図である。
【図３】図２の右後ろ身頃部をめくって裏地を露出させた様子を示す背面図である。
【図４】図２の領域Ａを拡大して示す襟部の説明図である。
【図５】図４の襟部を縮径させて面ファスナーで係止した様子を示す説明図である。
【図６】図２の面ファスナーの一端部同士を係止して開放部を設けた様子を示す背面図である。
【図７】図２の面ファスナーの他端部同士を係止して開放部を覆った様子を示す背面図である。
【図８】図１のレインコートを着用してバイクに乗った様子を示す説明図である。
【図９】本考案の第２の実施形態におけるレインコートを背面から示す背面図である。
【図１０】本考案の第３の実施形態におけるレインコートを背面から示す背面図である。
【考案を実施するための最良の形態】
【００３６】
（実施形態）
以下、本考案の実施形態におけるレインコートについて、図面を参照して説明する。
図１は、本実施形態におけるレインコート１を示すものである。
レインコート１は、利用者の前方に配される前身頃部２を備えている。
前身頃部２は、シート状に一枚物として形成されており、利用者の顔から下の正面全体を覆うようになっている。
前身頃部２の幅方向Wの一端部には、図２に示すように、利用者の右側から後方に配される右後ろ身頃部５が設けられている。また、前身頃部２の幅方向Wの他端部には、利用者の左側から後方に配される左後ろ身頃部６が設けられている。すなわち、後ろ身頃部が、右後ろ身頃部５と左後ろ身頃部６とに２つに分かれて形成されている。
【００３７】
右後ろ身頃部５のうち、高さ方向Ｈの一部ＰＲ１であって利用者の背中に相当する部位の幅寸法ＷＲ１は、高さ方向Ｈの他部ＰＲ２であって利用者の足に相当する部位の幅寸法ＷＲ２よりも、小さくなっている。すなわち、右後ろ身頃部５の幅寸法は、上方から下方に向かうにしたがって漸次大きくなるように設定されており、そのため右後ろ身頃部５の幅方向Ｗの縁部ＦＲは、前身頃部２の底辺部ＭＢに対して右側に傾斜した傾斜部５ａとされている。また、右後ろ身頃部５の縁部ＦＲの長さ寸法は、前身頃部２の高さ寸法ｈよりも大きくなっている。さらに、図３に示すように、右後ろ身頃部５の裏面のうち、利用者の臀部または臀部よりやや上方に相当する部位には、略矩形状の面ファスナー（後ろ身頃係止部、第１の係止部、第２の係止部）９が設けられている。
【００３８】
面ファスナー９の幅方向Ｗの一端部９ａは、縁部ＦＲの直線に沿って配置されている。また、面ファスナー９の幅方向Ｗの他端部９ｂは、一端部９ａよりも幅方向Ｗの反対方向に延ばされて配置されている。すなわち、面ファスナー９は、一端部９ａと他端部９ｂとが一体とされることによって形成されており、右後ろ身頃部５の縁部ＦＲの近傍から、幅方向Ｗの反対方向に向かって延在して配置されている。なお、一端部９ａは、第１の係止部として機能するものであり、他端部９ｂは、第２の係止部として機能するものである。
【００３９】
また、図２に示すように、左後ろ身頃部６のうち、高さ方向Ｈの一部ＰＬ１であって利用者の背中に相当する部位の幅寸法ＷＬ１は、高さ方向Ｈの他部ＰＬ２であって利用者の足に相当する部位の幅寸法ＷＬ２よりも、小さくなっている。すなわち、左後ろ身頃部６の幅寸法は、上方から下方に向かうにしたがって漸次大きくなるように設定されており、そのため左後ろ身頃部６の幅方向Ｗの縁部ＦＬは、前身頃部２の底辺部ＭＢに対して左側に傾斜した傾斜部６ａとされている。
ここで、高さ方向Ｈの一部ＰＲ１，ＰＬ１とは、右後ろ身頃部５および左後ろ身頃部６の高さ方向Ｈの全長のうちの任意の一点をいうものであり、それぞれ同一の高さ位置に設定される。すなわち、高さ方向Ｈの一部ＰＲ１，ＰＬ１とは、高さ方向Ｈにおいて互いに一致する位置に設定され、ここでは、例えば利用者の背中に相当する部位に設定されている。
また、高さ方向Ｈの他部ＰＲ２，ＰＬ２とは、右後ろ身頃部５および左後ろ身頃部６の高さ方向Ｈの全長のうちの任意の他の一点をいうものであり、それぞれ同一の高さ位置に設定される。すなわち、高さ方向Ｈの他部ＰＲ２，ＰＬ２とは、高さ方向Ｈにおいて互いに一致する位置に設定され、ここでは、一部ＰＲ１，ＰＬ１より下方であって、利用者の足に相当する部位に設定されている。
なお、図２において、一部ＰＲ１，ＰＬ１、他部ＰＲ２，ＰＬ２、幅寸法ＷＲ１，ＷＬ１、および、幅寸法ＷＲ２，ＷＬ２の高さ位置を若干ずらして示しているが、これは説明の便宜のためであって、実際は、それぞれ同じ高さ位置を示していることは言うまでもない。
また、左後ろ身頃部６の縁部ＦＬの長さ寸法は、前身頃部２の高さ寸法ｈよりも大きくなっている。さらに、図３に示すように、左後ろ身頃部６の表面のうち、面ファスナー９と一致する部位（利用者の臀部または臀部よりやや上方に相当する部位）には、略矩形状の面ファスナー（後ろ身頃係止部、第１の係止部、第２の係止部）１０が設けられている。この面ファスナー１０は、面ファスナー９に着脱可能に係止するようになっている。
【００４０】
面ファスナー１０の幅方向Ｗの一端部１０ａは、縁部ＦＬの直線に沿って配置されている。また、面ファスナー１０の幅方向Ｗの他端部１０ｂは、一端部１０ａよりも幅方向Ｗの反対方向に延ばされて配置されている。すなわち、面ファスナー１０は、一端部１０ａと他端部１０ｂとが一体とされることによって形成されており、左後ろ身頃部６の縁部ＦＬの近傍から、幅方向Ｗの反対方向に向かって延在して配置されている。なお、一端部１０ａは、第１の係止部として機能するものであり、他端部１０ｂは、第２の係止部として機能するものである。
【００４１】
また、図１に示すように、前身頃部２と右後ろ身頃部５とにわたって右袖部（袖部）３が設けられており、前身頃部２と左後ろ身頃部６とにわたって左袖部（袖部）４が設けられている。これら右袖部３および左袖部４は、利用者の右腕または左腕が通されるものである。
また、前身頃部２の上端には、円筒状の襟部８が設けられている。
襟部８は、図４に示すように、前身頃部２から右袖部３および左袖部４を介して右後ろ身頃部５と左後ろ身頃部６まで一体に延ばされた襟本体部８ａを備えている。この襟本体部８ａは、両端が切り離されており、その切り離された部分が後方に配されてＣ字状に形成されている。
襟本体部８ａの両端には、帯状のゴムひも（弾性部材、首用係止部、首用繋ぎ部）８ｂが設けられており、これら襟本体部８ａとゴムひも８ｂとで、全体として円環状をなしている。すなわち、ゴムひも８ｂは、襟本体部８ａを介して右後ろ身頃部５の上端部５ｂと左後ろ身頃部６の上端部６ｂとを繋ぐ首用繋ぎ部として機能する。さらに、ゴムひも８ｂは、弾性により長手方向に伸縮するようになっており、襟部８の径を拡大および縮小させるようになっている。
【００４２】
また、襟本体部８ａの長手方向の一端には、帯状に延びる帯ひも部８ｃが設けられている。帯ひも部８ｃの長手寸法は、ゴムひも８ｂの長手寸法よりも大きくなっている。また、帯ひも部８ｃは、その基端が襟本体部８ａの長手方向の一端に固定され、他端が開放されている。さらに、帯ひも部８ｃの裏面には、長さ方向の全長にわたって面ファスナー（首用係止部、首用調整部）８ｄが設けられている。
また、襟本体部８ａの長手方向の他端部には、当該長手方向に延びる面ファスナー（首用係止部、首用調整部）８ｅが設けられている。面ファスナー８ｅは、襟本体部８ａの表面側に設けられており、面ファスナー８ｄと着脱可能に係止するようになっている。すなわち、面ファスナー８ｄ，８ｅは、襟本体部８ａを介して右後ろ身頃部５の上端部５ｂおよび左後ろ身頃部６の上端部６ｂとを係止する首用係止部、首用調整部として機能する。
このような構成のもと、帯ひも部８ｃを開放した状態で使用することもできるし、図５に示すように、襟本体部８ａの両端を近接させ、ゴムひも８ｂを内方にたるませた後、面ファスナー８ｄと面ファスナー８ｅとを係止させることにより、襟部８を縮径させた状態で使用することもできる。
【００４３】
また、図１に示すように、前身頃部２、右後ろ身頃部５および左後ろ身頃部６の高さ方向Ｈのうち、利用者の腰部に相当する部位には、周方向の全長にわたって絞り部７が設けられている。絞り部７は、長手方向に伸縮可能な、ゴムなどの弾性部材からなっており、利用者の腰回り寸法（周方向の長さ寸法）が小さくなるように付勢している。これにより、着脱時に腰回り寸法の拡大、縮小を調整することができるようになっており、着用時には、腰回りを絞るようになっている。
さらに、前身頃部２の表面のうち、絞り部７の下方であって幅方向Ｗの中央部（利用者の太ももの間に相当する部位）には、前身頃部２の表面から凸状に形成された凸部１１が設けられている。凸部１１は、前身頃部２の表面に対して、ドーム状に隆起している。
また、凸部１１は、空気が収容される収容部１１ａと、この収容部１１ａに対して空気を流出入させる流出入部１１ｂと、この流出入部１１ｂを開閉する開閉部１１ｃとを備えている。
このような構成のもと、開閉部１１ｃを開けて、流出入部１１ｂを介して収容部１１ａに利用者が息を吹き込んだ後、開閉部１１ｃを閉じることにより、収容部１１ａが、前身頃部２の表面に対してドーム状に隆起した状態で保持されるようになっている。
【００４４】
次いで、本実施形態におけるレインコート１の利用方法について説明する。
まずは、着用する場合について説明する。
利用者は、折り畳まれたレインコート１を手に取って、自分の前方で広げて展開していく。そして、面ファスナー８ｄと面ファスナー８ｅとを剥がして、帯ひも部８ｃを解放させる。それから、縁部ＦＲ，ＦＬの上端部を右手と左手でそれぞれ把持して、前身頃部２の裏面側を手前に向けた状態で前身頃部２を自分の正面に配する。このとき、前身頃部２の表面が自分の前方の外方側（奥側）に配され、右袖部３および左袖部４が前身頃部２の表面側に垂れ下がるとともに、右袖部３および左袖部４の入口の開口端が自分の正面に向けられた状態になる。
【００４５】
それから、縁部ＦＲ，ＦＬの上端部を右手と左手でそれぞれ把持して、ゴムひも８ｂを伸ばして襟部８を拡径させる。それから、襟部８の下から頭を通していく。このとき、頭の外形に合わせて、ゴムひも８ｂがさらに伸びて襟部８が拡径していき、頭の最も大きい部分が襟部８を通過すると、襟部８が首に至るまでの間にゴムひも８ｂが縮んで襟部８が縮径していく。そして、ゴムひも８ｂが首の後ろに配される。これにより、ゴムひも８ｂが首に引っ掛けられて、前身頃部２が利用者の正面を覆った状態で保持される。
この状態から、前方に配された右袖部３の入口の開口端を介して右腕を通していく。そして、左手で右袖部３の基端部を引っ張りながら、右手の先端を右袖部３の先端から突出させて、右袖部３の基端部を自分の右肩上方に配する。
さらに、前方に配された左袖部４の入口の開口端を介して左腕を通していく。そして、右手で左袖部４の基端部を引っ張りながら、左手の先端を左袖部４の先端から突出させて、左袖部４の基端部を自分の左肩上方に配する。これにより、自分の前方の顔の下全体が前身頃部２によって覆われる。このとき、右後ろ身頃部５および左後ろ身頃部６は、上端部５ｂ，６ｂ以外は解放されている。
雨の量が少ない場合には、これで着用が完了し、この状態で利用される。
【００４６】
ただし、雨の量がもう少し多い場合には、上記動作に続けて以下のように着用していく。
襟部８に首を通し右袖部３および左袖部４に各腕を通した状態から、利用者は、左後ろ身頃部６の縁部ＦＬのうち、面ファスナー１０の高さの部位を左手で把持し引っ張りながら、自分の体の左から後方に巻き込むようにして配していく。さらに、利用者は、右後ろ身頃部５の縁部ＦＲのうち、面ファスナー９の高さの部位を右手で把持し引っ張りながら、自分の体の右から後方に巻き込むようにして配していく。このとき、図６に示すように、縁部ＦＲを縁部ＦＬの外側に配して、縁部ＦＲと縁部ＦＬとを近接させた状態で重ね合わせる。そして、面ファスナー１０の一端部１０ａと面ファスナー９の一端部９ａとを重ね合わせて係止させる。これにより、縁部ＦＲと縁部ＦＬの上方がたるんで、利用者の背中に相当する部位において、縁部ＦＲと縁部ＦＬとが離されて、開放部１２が設けられる。
これで着用が完了し、この状態で利用される。
【００４７】
なお、雨の量がさらに多い場合には、以下のようにしてレインコート１を着用する。
まず、襟部８に首を通し右袖部３および左袖部４に各腕を通すところまでは、上記と同様である。ここから、図５に示すように、面ファスナー８ｅを左手で押さえた状態で、帯ひも部８ｃを右手で把持して左側に巻き込む。そして、襟本体部８ａの両端を近接させて、なるべく首の周りに隙間ができないようにして、面ファスナー８ｄと面ファスナー８ｅとを係止させる。なお、このときの係止位置は、雨の量や利用者の好みに応じて適宜変更すればよい。
【００４８】
それから、利用者は、左後ろ身頃部６の縁部ＦＬのうち、面ファスナー１０の高さの部位を左手で把持し引っ張りながら、自分の体の左から後方に巻き込むように配していく。さらに、利用者は、右後ろ身頃部５の縁部ＦＲのうち、面ファスナー９の高さの部位を右手で把持し引っ張りながら、自分の体の右から後方に巻き込むように配していく。このとき、図７に示すように、利用者は、左手で左後ろ身頃部６を押さえながら、左後ろ身頃部６を覆うようにして、右後ろ身頃部５を巻き込んでいく。そして、面ファスナー９の他端部９ｂと面ファスナー１０の他端部１０ｂとが重なる位置まで右後ろ身頃部５を巻き込み、他端部９ｂと他端部１０ｂとを重ね合わせて互いに係止させる。このとき、開放部１２が設けられないように、縁部ＦＲ，ＦＬ同士を重ね合わせる。これにより、利用者の後方全体が覆われる。
これにて着用が完了し、この状態で利用される。
なお、着用時には、腰回り寸法が小さくなるように絞り部７によって付勢されていることから、前身頃部２、右後ろ身頃部５および左後ろ身頃部６がたるんでしまうことなく、着用時のフィット感が向上する。
【００４９】
なお、着用したレインコート１を脱ぐ場合、上記と反対の動作をすればよい。すなわち、面ファスナー８ｄと面ファスナー８ｅが係止されている場合は、これら面ファスナー８ｄ，８ｅを外して、襟部８を頭から外す。もちろん、面ファスナー８ｄ，８ｅ同士が係止されていない場合は、ダイレクトに襟部８を頭から外せばよい。それから、面ファスナー９と面ファスナー１０を外して、右袖部３および左袖部４から各腕を外す。このとき、レインコート１は利用者の前方に配される。そして、これら頭や腕を外したときに、右手と左手で右袖部３および左袖部４などを把持していた状態のまま、一連の動作でレインコート１を自分の前方で折り畳んでいく。
【００５０】
また、従来では、レインコートを着用した状態で、バイクに乗ると、両太ももが横方向に向けられることから、前身頃部のうち、両太もも間の部位が下方に没してしまい、そこに水が溜まってしまうことがあった。
本実施形態におけるレインコート１によれば、図８に示すように、バイクＢに乗って、両太ももを横方向に向けると、凸部１１が前身頃部２の表面から上方にドーム状に隆起することから、両太もも間に到達する雨を前後左右に流すことができ、両太もも間に雨が溜まることを防止することができる。
なお、凸部１１は、以下のようにして利用される。まず、利用者は、開閉部１１ｃを開けて、流出入部１１ｂの先端をくわえた状態で、収容部１１ａに息を吹き込む。これにより、収容部１１ａが、前身頃部２の表面に対してドーム状に隆起する。そして、利用者が、開閉部１１ｃを閉じることにより、収容部１１ａがドーム状に隆起した状態で保持される。
一方、レインコート１を折り畳むときは、利用者が、開閉部１１ｃを開けて、収容部１１ａを押すことにより収容部１１ａから流出入部１１ｂを介して空気を流出させる。そして、開閉部１１ｃを閉めればよい。
【００５１】
以上より、本実施形態におけるレインコート１によれば、前身頃部２が利用者の前方に配され、右後ろ身頃部５および左後ろ身頃部６が利用者の後方に配されることから、利用者の前方で広げて展開したレインコート１を一旦後ろに回すことなく、前方に配した状態で展開動作からの一連の動作で着用することができる。また、着用した状態からも、利用者の前方で脱ぐことができ、この脱ぐ動作からの一連の動作で折り畳むことができる。そのため、迅速かつ容易に着脱することができる。すなわち、急に雨が降り出したときでも、すぐに着用することができるだけでなく、例えば、雨の途中に店などの屋内に入るときでも、すぐに脱ぐことができる。さらに、迅速な着脱が可能であるため、着脱時にレインコート１が雨に濡れた状態であっても、レインコート１からの水滴によって利用者自身を濡らすことを極力少なくすることができる。また、利用者の前方で脱ぐことができることから、レインコート１の濡れている面を内側にして折り畳み易くすることができ、着脱時に利用者が水滴によって濡れることをさらに防止することができる。
また、前身頃部２が利用者の正面を覆うので、利用者の前方の隙間を無くすことができ、前方からの雨の浸入量を減少させることができる。特に、バイクなどの乗り物に乗っている場合には、前身頃部２に向かい風を受けることになるが、前身頃部２によって利用者の前方の隙間を無くすことにより、前方からの雨の浸入量を大幅に減少させることができる。
【００５２】
また、面ファスナー９，１０、ゴムひも８ｂまたは面ファスナー８ｄ，８ｅが設けられていることから、着用時に右後ろ身頃部と左後ろ身頃部とを係止することができ、これら右後ろ身頃部と左後ろ身頃部とが脱ぎ易くなることを防止することができる。
また、右後ろ身頃部５の幅寸法ＷＲ１が、幅寸法ＷＲ２よりも小さくなっていることから、面ファスナー９の一端部９ａと面ファスナー１０の一端部１０ａとを係止させたときに、開放部１２を設けることができ、レインコート１内の通気性を向上させることができる。
また、左後ろ身頃部６の幅寸法ＷＬ１が、幅寸法ＷＬ２よりも小さくなっていることから、上記と同様に、面ファスナー９の一端部９ａと面ファスナー１０の一端部１０ａとを係止させたときに、開放部１２を設けることができ、レインコート１内の通気性を向上させることができる。
また、幅寸法ＷＲ１，ＷＬ１が、両方とも幅寸法ＷＲ２，ＷＬ２よりも小さくなっていることから、開放部１２を容易に設けることができ、レインコート１内の通気性をさらに向上させることができる。
また、幅寸法ＷＲ１が幅寸法ＷＲ２よりも小さくなっており、かつ、幅寸法ＷＬ１が幅寸法ＷＬ２よりも小さくなっていることから、開放部１２を容易に形成することができる。
【００５３】
また、開放部１２が、利用者の背中に相当する部位に形成されることから、レインコート１内の通気性をより向上させることができる。
また、面ファスナー９および面ファスナー１０が開放部１２の下方に設けられていることから、熱が溜まる上方を開放させつつ、下方における雨の浸入を防止することができる。
また、縁部ＦＲ，ＦＬが傾斜部５ａ，６ａとされていることから、安価かつ簡易な構成により、容易に開放部１２を形成させることができるだけでなく、開放部１２を形成させずに右後ろ身頃部５および左後ろ身頃部６を重ね合わせたときでも、熱が溜まる上方の重ね合わせ面積を減少させて通気性をなるべく下げることなく、下方においては重ね合わせ面積をなるべぐ確保して雨の浸入を防止することができる。
【００５４】
また、面ファスナー９，１０の一端部９ａ，１０ａと他端部９ｂ，１０ｂとで、係止位置を選択的に調整することができることから、雨の量に応じて、開放部１２の大きさを調整したり、開放部１２を形成しないようにすることができる。
また、面ファスナー９，１０の一端部９ａ，１０ａと他端部９ｂ，１０ｂとが一体に設けられていることから、係止位置をピンポイントに合わせるように意識しなくても、利用者による係止位置の調整を容易にすることができる。
また、縁部ＦＲ，ＦＬの長手寸法が、前身頃部２の高さ寸法ｈよりも大きくなっていることから、右後ろ身頃部５および左後ろ身頃部６の底辺部を前身頃部２の底辺部ＭＢに合わせて、面ファスナー９，１０を係止させたときに、縁部ＦＲ，ＦＬのうち、利用者の背中に相当する部位をたるませ易くすることができ、開放部１２を容易に形成することができる。
【００５５】
また、ゴムひも８ｂが設けられていることから、当該ゴムひも８ｂを着用時に首にかけることができ、着用の安定感を向上させることができる。また、着脱時に前身頃部２などを利用者に保持させておくことができ、解放された両手を着脱の動作に使用することができることから、より迅速に着脱することができる。
また、面ファスナー８ｄ，８ｅが設けられていることから、襟部８の全周の寸法を変更することができ、そのため、雨の量に応じて、首回りの隙間の大きさを調整することができる。
また、絞り部７が設けられていることから、着用時のフィット感を向上させることができるだけでなく、乗り物に乗っているときに、前身頃部２や右後ろ身頃部５および左後ろ身頃部６が風にあおられてヒラヒラと舞ってしまうことを防止することができる。
また、凸部１１が設けられていることから、着用時に乗り物などに乗って両太ももを横方向に向けても、両太もも間に到達する雨を前後左右に流すことができ、両太もも間に水が溜まることを防止することができる。
また、収容部１１ａ、流出入部１１ｂおよび開閉部１１ｃが設けられていることから、凸部１１を利用したいときに、収容部１１ａに空気を吹き込んで収容部１１ａを容易に凸状にすることができ、一方、凸部１１を利用しないときには、収容部１１ａから空気を流出させてコンパクトにしておくことができる。
【００５６】
（実施形態２）
次に、本考案の第２の実施形態について説明する。
図９は、本考案の第２の実施形態を示したものである。
図９において、図１から図８に記載の構成要素と同一部分については同一符号を付し、その説明を省略する。
この実施形態と上記第１の実施形態とは基本的構成は同一であり、ここでは主として異なる点について説明する。
【００５７】
レインコート２０は、右後ろ身頃部５０と左後ろ身頃部６０とを備えている。
右後ろ身頃部５０の縁部ＦＲのうち、高さ方向Ｈの一部ＰＲ１０であって利用者の背中に相当する部位には、縁部ＦＲよりも内方に切り欠かれた凹部５０ｂが形成されている。そのため、右後ろ身頃部５０のうち、高さ方向Ｈの一部ＰＲ１０の幅寸法ＷＲ１０は、高さ方向Ｈの他部ＰＲ２０であって利用者の足に相当する部位の幅寸法ＷＲ２０よりも、小さくなっている。また、縁部ＦＲは、襟部８から凹部５０ｂの底辺部５０ｂ１を介して最下部に至るまで全体として傾斜部５０ａとされている。
【００５８】
また、左後ろ身頃部６０の縁部ＦＬのうち、高さ方向Ｈの一部ＰＬ１０であって利用者の背中に相当する部位には、縁部ＦＬよりも内方に切り欠かれた凹部６０ｂが形成されている。そのため、左後ろ身頃部６０のうち、高さ方向Ｈの一部ＰＬ１０の幅寸法ＷＬ１０は、高さ方向Ｈの他部ＰＬ２０であって利用者の足に相当する部位の幅寸法ＷＬ２０よりも、小さくなっている。また、縁部ＦＬは、襟部８から凹部６０ｂの底辺部６０ｂ１を介して最下部に至るまで全体として傾斜部６０ａとされている。
なお、図９において、他部ＰＲ２０，ＰＬ２０、および、幅寸法ＷＲ２０，ＷＬ２０の高さ位置を若干ずらして示しているが、これは説明の便宜のためであって、実際は、それぞれ同じ高さ位置を示していることは言うまでもない。
このような構成のもと、面ファスナー９，１０の一端部９ａ，１０ａ同士を係止すると、利用者の背中に相当する部位に、開放部１２ａが形成される。また、面ファスナー９，１０の他端部９ｂ，１０ｂ同士を係止すると、開放部１２ａが塞がれ、利用者の背面全体が覆われる。
【００５９】
以上より、本実施形態におけるレインコート２０によれば、第１の実施形態におけるレインコート１と同様の効果を奏することができるだけでなく、開放部１２ａを容易に設けることができ、通気性を向上させることができる。
【００６０】
（実施形態３）
次に、本考案の第３の実施形態について説明する。
図１０は、本考案の第３の実施形態を示したものである。
図１０において、図１から図９に記載の構成要素と同一部分については同一符号を付し、その説明を省略する。
この実施形態と上記第１の実施形態とは基本的構成は同一であり、ここでは主として異なる点について説明する。
【００６１】
レインコート３０は、右後ろ身頃部５００と左後ろ身頃部６とを備えている。
右後ろ身頃部５００の縁部ＦＲのうち、絞り部７の下方の幅寸法がＷＲ２００は、左後ろ身頃部６の幅寸法ＷＬ２０よりも大きくなっている。
また、右後ろ身頃部５００の裏面には、縁部ＦＲよりも内方の領域に面ファスナー９０が設けられている。面ファスナー９０の幅寸法は、面ファスナー１０の幅寸法よりも小さくなっている。
このような構成のもと、開口部１２を設けるときには、面ファスナー９０を面ファスナー１０の一端部１０ａに係止し、一方、開口部１２を設けず背中部分を覆うときには、面ファスナー９０を面ファスナー１０の他端部１０ｂに係止する。すなわち、面ファスナー９０は、第１の係止部と第２の係止部とが兼用されて構成されている。なお、これに代えて、上記実施形態における面ファスナー９を右後ろ身頃部５００に設け、この面ファスナー９よりも幅寸法の小さい面ファスナーを左後ろ身頃部６に設けるようにしても良い。この場合、左後ろ身頃部６の面ファスナーは、第１の係止部と第２の係止部とが兼用されて構成されることになる。
【００６２】
以上より、本実施形態におけるレインコート３０によれば、上記実施形態と同様の効果を奏することができるだけでなく、右後ろ身頃部５００の幅寸法ＷＲ２００が幅寸法ＷＬ２０よりも大きくなっていることから、開口部１２を設けた状態で、利用者の下方を確実に覆うことができ、さらにデザイン性を向上させることができる。
また、面ファスナー９０が、第１の係止部と第２の係止部とが兼用されて構成されていることから、コストを軽減させることができる。
【００６３】
なお、本考案の技術範囲は上記の実施形態に限定されるものではなく、本考案の趣旨を逸脱しない範囲において、形状や寸法など種々の変更を加えることが可能である。
例えば、右後ろ身頃部５，５０，５００および左後ろ身頃部６，６０の幅寸法を一部と他部とで異なるものとしているが、これに限ることはなく、その寸法やサイズなどは適宜変更可能である。具体的には、右後ろ身頃部５，５０，５００の幅寸法のみ一部と他部とで異ならせ、左後ろ身頃部６，６０の一部と他部を同一にすることもできるし、左右を逆にすることもできる。さらに、右後ろ身頃部５，５０，５００および左後ろ身頃部６，６０のいずれも一部と他部を同一にすることもできる。
【００６４】
また、縁部ＦＲ，ＦＬが傾斜部５ａ，６ａ，５０ａ，６０ａであるとしたが、これに限ることはなく、底辺部ＭＢに対して垂直にしても良い。
また、縁部ＦＲ，ＦＬの長手寸法を前身頃部２の高さ寸法ｈよりも大きくするとしたが、これに限ることはなく、それら長手寸法は適宜変更可能である。例えば、縁部ＦＲ，ＦＬの長手寸法を前身頃部２の高さ寸法ｈと同一にしたり、小さくしたりしても良い。また、縁部ＦＲ，ＦＬのいずれか一方の長手寸法のみを高さ寸法ｈと同一にしたり、大きくしたり小さくしたりしても良い。
また、係止部を面ファスナーとしているが、これに限ることはなく、係止構造は適宜変更可能である。例えば、ボタン、ヒモ、ファスナー、ベルトなどであっても良い。また、係止部をヒモなどにする場合、右後ろ身頃部５，５０および左後ろ身頃部６，６０から、利用者の左右を介して前方で留めるようにしても良い。
また、面ファスナー９，１０が、一端部９ａ、１０ａと他端部９ｂ，１０ｂとで一体に設けられるとしたが、これに限ることはなく、適宜変更可能である。例えば、一端部９ａ、１０ａと他端部９ｂ，１０ｂとを分離させて設けても良いし、一端部９ａ、１０ａと他端部９ｂ，１０ｂのいずれか一方のみを設けるようにしても良い。特に、他端部９ｂ，１０ｂに相当する部分のみを設けておき、開放部１２，１２ａ設けるときは、面ファスナー９，１０を係止させないで解放しておき、開放部１２，１２ａを覆うときは、他端部９ｂ，１０ｂを係止させるようにしても良い。
【００６５】
また、ゴムひも８ｂを設けるとしたが、これに限ることはなく、当該ゴムひも８ｂを設けなくても良い。
また、ゴムひも８ｂを伸縮可能な弾性部材からなるとしているが、これに限ることはなく、襟本体部８ａと同一の部材としても良い。
また、帯ひも部８ｃ、面ファスナー８ｄ，８ｅを設けるとしたが、これに限ることはなく、これら帯ひも部８ｃ、面ファスナー８ｄ，８ｅを設けなくても良い。
また、面ファスナー８ｄ，８ｅは、上記と同様に、ボタン、ヒモ、ファスナー、ベルトなどであっても良い。
また、右袖部３および左袖部４の先端部を開口させたままにしているが、これに限ることはなく、ゴム、ボタン、ヒモ、ファスナー、ベルトなどによって先端部に袖絞り部を設けるようにしても良い。これにより、両袖からの雨の浸入量を減少させることができる。
【００６６】
また、絞り部７を設けるとしたが、これに限ることはなく、当該絞り部７を設けなくても良い。また、絞り部７の構造は適宜変更可能である。例えば、ボタンやベルトにより腰回り寸法を調整するようにしても良い。
また、凸部１１を設けるとしたが、これに限ることはなく、当該凸部１１を設けなくても良い。また、凸部１１の構成は適宜変更可のである。例えば、空気に代えて、水や繊維、樹脂などで内部を充填しても良いし、全体を着脱可能な構成にしても良い。
また、収容部１１ａを開閉可能とし空気の流出入を可能な構成としているが、これに限ることはなく、収容部１１ａを常時閉鎖してて充填物質を流出入させないように構成しても良い。
なお、レインコート１，２０，３０の着用時に、バイクＢに乗るものとしているが、これに限ることはなく、適宜変更可能である。例えば、自転車などの他の乗り物であっても良いし、乗り物に乗らず歩くときにも利用可能であることは言うまでもない。
また、前身頃部２を一枚物としているが、これに限ることはなく、その構成は適宜変更可能である。例えば、複数枚のものを連結して構成するようにしても良い。
また、着用時において、襟部８に頭を通してから右袖部３および左袖部４に各腕を通すようにしているが、これに限ることはなく、動作手順は適宜変更可能である。例えば、右袖部３および左袖部４に各腕を通してから、襟部８に頭を通すようにしてもよい。また、脱ぐときの動作手順も同様に適宜変更可能であることはいうまでもない。
【符号の説明】
【００６７】
１，２０  レインコート
２  前身頃部
３  右袖部（袖部）
４  左袖部（袖部）
５，５０  右後ろ身頃部
５ａ，５０ａ  傾斜部
６，６０  左後ろ身頃部
６ａ，６０ａ  傾斜部
７  絞り部
８ｂ  ゴムひも（止め部）
８ｄ，８ｅ  面ファスナー（首用係止部）
９  面ファスナー（係止部）
９ａ，１０ａ  一端部（第１の係止部）
９ｂ，１０ｂ  他端部（第２の係止部）
１０  面ファスナー（係止部）
１１  凸部
１１ａ  収容部
１１ｂ  流出入部
１１ｃ  開閉部
１２，１２ａ  開放部
ＦＲ，ＦＬ  縁部
ＰＲ１，ＰＲ１０，ＰＬ１，ＰＬ１０  一部
ＰＲ２，ＰＲ２０，ＰＬ２，ＰＬ２０  他部
Ｗ  幅方向
ＷＲ１，ＷＲ２，ＷＬ１，ＷＬ２  幅寸法
【図１】
0003178539.tif 000003
【図２】
0003178539.tif 000004
【図３】
0003178539.tif 000005
【図４】
0003178539.tif 000006
【図５】
0003178539.tif 000007
【図６】
0003178539.tif 000008
【図７】
0003178539.tif 000009
【図８】
0003178539.tif 000010
【図９】
0003178539.tif 000011
【図１０】
0003178539.tif 000012